(57)【要約】      （修正有）【課題】集配金バッグの施錠において使い捨て結束バンドを用いて施錠することに代わるものとしてワイヤーを用いて施錠することができるワイヤーロックキーを提供する。【解決手段】ワイヤーロックキー１００は、ワイヤー２０を用いて集配金バッグの開口部を縛り施錠する。本体部１０は、ロック機構１１を有し、ロック機構は、本体部の内部に設けられているワイヤー貫通孔１１ａとロックアーム１１ｂとロックバネ１１ｃを有し、本体部の外部から鍵が差し込まれ解錠できるように形成されている鍵穴１１ｄを有している。ロックアームは、ワイヤーがワイヤー貫通孔に嵌め込む方向にだけ移動するように形成され、ロックバネは、ワイヤーを一方向にだけ移動するようにロックアームを付勢することで施錠する。鍵を用いてロックバネを解錠することにより、ロックアームが解放され、貴重品、主に紙幣及び硬貨を集配金バッグから取り出すことができる。【選択図】図１
0003229706.tif 000002
【実用新案登録請求の範囲】
【請求項１】
本体部と前記本体部に一方の端部が固定されているワイヤーを有し、前記ワイヤーを用いて対象物を縛り封鎖するように形成されているワイヤーロックキーであって、
前記本体部は、ロック機構を有しており、
前記ロック機構は、ワイヤー貫通孔とロックアームとロックバネと鍵穴を有しており、
前記ワイヤー貫通孔は、前記ワイヤーが、前記ワイヤーの他方の端部から嵌め込まれ貫通させることにより、前記ワイヤーが、前記本体部に固定されている一方の端部から前記ワイヤー貫通孔までの前記ワイヤーの長さが短くなり前記対象物を縛るように形成されており、
前記ロックアームは、前記ワイヤーが前記ワイヤー貫通孔に嵌め込まれたときに、前記ワイヤーは、嵌め込む方向にのみ移動し、前記嵌め込む方向の逆方向に移動しないように形成されており、
前記ロックバネは、前記ワイヤー貫通孔に貫通されているワイヤーを、一方の方向のみに移動するように、前記ロックアームを付勢しており、
前記鍵穴は、鍵が挿入されるように形成されており、前記鍵穴に前記鍵が挿入され解錠されることにより、前記ロックバネの前記ロックアームに対する付勢が開放され、前記ワイヤーが、前記ワイヤー貫通孔で、前記嵌め込む方向の逆方向に移動するようになることを特徴とするワイヤーロックキー。
【請求項２】
前記対象物は、集配金バッグであり、
前記集配金バッグに、貴重品が収納されている状態で、前記集配金バッグの開口部を前記ワイヤーで縛り前記開口部を閉鎖し、
前記鍵を用いて前記ロックバネを解錠することにより、前記ロックアームが解放され前記ワイヤーでの縛りが解放され、前記開口部が、開口されるように形成されていることを特徴とする請求項１に記載のワイヤーロックキー。
【考案の詳細な説明】
【技術分野】
【０００１】
本考案は、ワイヤーロックキーに関する。
【背景技術】
【０００２】
ワイヤーを用いたワイヤー錠は、パソコン、タブレットなどの盗難防止、自転車のサドル、バイクのヘルメットの盗難防止などに用いられており、例えば、柔軟性及び使用利便性を有すると共に盗難犯による切断具を用いたワイヤーの切断動作に対して十分な耐性を有するワイヤー錠が開示されている。
【先行技術文献】
【特許文献】
【０００３】
【特許文献１】特開２０１１−４３０１０号公報
【考案の概要】
【考案が解決しようとする課題】
【０００４】
上記のとおり、ワイヤーを用いたワイヤー錠は、例えば、パソコン、タブレットなどの盗難防止、自転車のサドル、バイクのヘルメットの盗難防止に用いられているが、例えば、貴重品が収納されている集配金バッグに用いることも求められていた。そこで本考案は、このような課題を解決するためになされたもので、集配金バッグの施錠において使い捨て結束バンドを用いて施錠することに代わるものとしてワイヤーを用いて施錠することができるワイヤーロックキーを提供することである。
【課題を解決するための手段】
【０００５】
上記課題を解決するために、本考案に係るワイヤーロックキーは、本体部と前記本体部に一方の端部が固定されているワイヤーを有し、前記ワイヤーを用いて対象物を縛り封鎖するように形成されているワイヤーロックキーであって、前記本体部は、ロック機構を有しており、前記ロック機構は、ワイヤー貫通孔とロックアームとロックバネと鍵穴を有しており、前記ワイヤー貫通孔は、前記ワイヤーが、前記ワイヤーの他方の端部から嵌め込まれ貫通させることにより、前記ワイヤーが、前記本体部に固定されている一方の端部から前記ワイヤー貫通孔までの前記ワイヤーの長さが短くなり、前記対象物を縛るように形成されており、前記ロックアームは、前記ワイヤーが前記ワイヤー貫通孔に嵌め込まれたときに、前記ワイヤーは、嵌め込む方向にのみ移動し、前記嵌め込む方向の逆方向に移動しないように形成されており、前記ロックバネは、前記ワイヤー貫通孔に貫通されているワイヤーを、一方の方向のみに移動するように、前記ロックアームを付勢しており、前記鍵穴は、鍵が挿入されるように形成されており、前記鍵穴に前記鍵が挿入され解錠されることにより、前記ロックバネの前記ロックアームに対する付勢が開放され、前記ワイヤーが、前記ワイヤー貫通孔で、前記嵌め込む方向の逆方向に移動するようになることを特徴とする。
【０００６】
本考案に係るワイヤーロックキーの態様について、前記対象物は、集配金バッグであり、前記集配金バッグに、貴重品が収納されている状態で、前記集配金バッグの開口部を前記ワイヤーで縛り前記開口部を閉鎖し、前記鍵を用いて前記ロックバネを解錠することにより、前記ロックアームが解放され前記ワイヤーでの縛りが解放され、前記開口部が、開口されるように形成されていることが好ましい。
【考案の効果】
【０００７】
本考案によれば、集配金バッグの施錠において使い捨て結束バンドを用いて施錠することに代わるものとしてワイヤーを用いて施錠することができるワイヤーロックキーを提供することができる。
【図面の簡単な説明】
【０００８】
【図１】実施形態のワイヤーロックキーの一例を示す参考図である。
【図２】実施形態のワイヤーロックキーの具体的な一例を示す参考図である。
【考案を実施するための形態】
【０００９】
以下、実施形態のワイヤーロックキー１００について図１及び図２を用いて説明する。図１（ａ）は、実施形態のワイヤーロックキー１００の一例を示す参考図であり、図１（ｂ）は、ワイヤーロックキー１００のワイヤー２０が、ロックアームに付勢されて、ワイヤー２０が締まる方向にのみ移動する状態を示す参考図であり、また、図１（ｃ）は、ワイヤーロックキー１００のワイヤー２０が、ロックアームの付勢が解除され、ワイヤー２０の移動がフリーになっている状態を示す参考図である。図２（ａ）は、ワイヤーロックキー１００の具体的な一例を示す参考図であり、また、図２（ｂ）は、ワイヤーロックキー１００が集配金バッグに使用されている一例を示す参考図である。
【００１０】
ワイヤーロックキー１００は、本体部１０と、本体部１０に一方の端部が固定されているワイヤー２０を有している。ワイヤーロックキー１００は、ワイヤー２０を用いて対象物、この例においては集配金バッグを縛り封鎖、つまり施錠及び封印するように形成されている。なお、対象物としての集配金バッグは一例であり限定されず、ワイヤーロックキー１００は、適宜最適な対象物に使用することができる。
【００１１】
本体部１０は、ロック機構１１を有しており、ロック機構１１は、本体部１０の内部に設けられているワイヤー貫通孔１１ａとロックアーム１１ｂとロックバネ１１ｃを有しており、また、本体部１０の外部から鍵が差し込まれ解錠できるように形成されている鍵穴１１ｄを有している。
【００１２】
ワイヤー貫通孔１１ａは、ワイヤー２０が、ワイヤー２０の他方の端部から嵌め込まれ貫通させることができるように形成されており、ワイヤー２０が、本体部１０に固定されているワイヤー２０の一方の端部からワイヤー貫通孔１１ａまでのワイヤー２０の長さが、ワイヤー貫通孔１１ａを貫通することにより短くなり、例えば、集配金バッグの開口部分を縛ることができるように形成されている。
【００１３】
ロックアーム１１ｂは、ワイヤー２０がワイヤー貫通孔１１ａに嵌め込まれたときに、このワイヤー２０が、後述のとおりロックバネ１１ｃの付勢力により、嵌め込む方向にのみ移動し、嵌め込む方向の逆方向に移動しないようにする機能を有している。
【００１４】
ロックバネ１１ｃは、ワイヤー貫通孔１１ａに貫通されているワイヤー２０を、一方の方向のみに移動するように、ロックアーム１１ｂを付勢している。ロックバネ１１ｃのロックアーム１１ｂに対する付勢力は、後述のとおり鍵により解除される構成となっている。
【００１５】
鍵穴１１ｄは、鍵が挿入されるように形成されており、鍵穴１１ｄに鍵が挿入され解錠されることにより、ロックバネ１１ｃのロックアーム１１ｂに対する付勢力が開放されることにより、ワイヤー２０が、ワイヤー貫通孔１１ａにおいて、嵌め込む方向の逆方向に移動することができるように構成されている。
【００１６】
上記の構成を有するワイヤーロックキー１００は、対象物の一例としての集配金バッグにおいて、貴重品、主に紙幣及び硬貨が収納されている状態で、この集配金バッグの開口部を、ワイヤー２０を用いて縛り、集配金バッグの開口部を閉鎖することができる。そして、鍵を用いてロックバネ１１ｃを解錠することにより、ロックアーム１１ｂが解放されワイヤー２０の集配金バッグの開口部に対する縛りが解放され、開口部を開口し収納されている紙幣及び硬貨を、集配金バッグから取り出すことができる。
【００１７】
このような特徴を有するワイヤーロックキー１００は、集配金バッグの施錠に用いられている結束バンドの代わりに用いることができ、優れた効果を有するものである。例えば、費用面において、結束バンドは、使い捨てであるが、本考案のワイヤーロックキー１００は、繰り返し使用することができるものであり、例えば、結束バンドの５０回分の使用量で、１つのワイヤーロックキー１００が購入できるという試算もある。また、運送現場は、ロック解除用の鍵を持たないので、運送途中の開封はありえなく、鍵穴を封印するための封印シールを必要としないという効果もある。さらに、結束バンドはプラスチックで形成されており、繰り返し使用可能なワイヤーロックキー１００を用いることにより、プラスチックゴミの減量で、ゴミ廃棄費用のコストセーブ、環境破壊の防止など顕著な効果を有している。
【００１８】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００１９】
また、本考案のワイヤーロックキーの大きさや形状、素材の材質、厚さ、重さなどについては多様な実施形態が可能であり、本実施形態と異なる形態による実施は、本考案の技術的範囲に含まれる。
【符号の説明】
【００２０】
１００  ワイヤーロックキー
１０    本体部
１１    ロック機構
１１ａ  ワイヤー貫通孔
１１ｂ  ロックアーム
１１ｃ  ロックバネ
１１ｄ  鍵穴
２０    ワイヤー
【図１】
0003229706.tif 000003
【図２】
0003229706.tif 000004